(57)【要約】【課題】外フラップを破損させることなく容易に開封できる包装容器を提供する。【解決手段】直方体で、天面の４辺の内、対向する２辺に設けられると共に内側に折り込まれる一対の内フラップ３と、他の２辺に設けられると共に、封緘時に前記内フラップ３を覆う一対の外フラップ２とを備え、一対の外フラップ２の少なくとも一方の、下方に前記内フラップ３が重ね合わされていない部分の先端部に、切込み部７と折り目部８で形成され、指で下方に押し曲げられる押し曲げ部１５を形成したもので、包装容器の天面の開封時に、一方の外フラップ２に形成した押し曲げ部１５を、指で、一旦下方に押し込んだ後、他方の外フラップ２を掴み、上方に引っ張るという開封方法を取ることができるので、開封時の外フラップ２を引っ張る位置が規定され、外フラップ２を破損させることなく、包装容器の天面を容易に開封することができるようになる。【選択図】図１
2008105690.tif 000002
【特許請求の範囲】
【請求項１】
直方体で、天面の４辺の内、対向する２辺に設けられると共に内側に折り込まれる一対の内フラップと、他の２辺に設けられると共に、封緘時に前記内フラップを覆う一対の外フラップとを備え、前記一対の外フラップの少なくとも一方の、下方に前記内フラップが重ね合わされていない部分の先端部に、切込み部と折り目部で形成され、指で下方に押し曲げられる押し曲げ部を形成したことを特徴とする包装容器。
【請求項２】
押し曲げ部の幅を、少なくとも指が３本以上挿入し得る幅としたことを特徴とする請求項１に記載の包装容器。
【請求項３】
封緘時に内フラップと外フラップとを接着剤で接着すると共に、前記接着剤の塗布位置と押し曲げ部との間を前記押し曲げ部の幅の１／２以上離すようにした請求項１又は２に記載の包装容器。
【請求項４】
押し曲げ部を有する外フラップの前記押し曲げ部の近傍に、下方に押すことがわかる内容の印刷表示を、他方の外フラップの前記押し曲げ部近傍に、上方に引くことがわかる内容の印刷表示を、それぞれ行なう請求項１〜３のいずれか１項に記載の包装容器。
【請求項５】
包装容器の側面部と押し曲げ部を有する外フラップとの連動部位である稜が、外フラップに印刷表示された文字の上側に位置するようにしたことを特徴とする請求項４に記載の包装容器。
【発明の詳細な説明】
【技術分野】
【０００１】
本発明は、一般家庭用、あるいは業務用に使用される家電製品の包装容器に関するものである。
【背景技術】
【０００２】
家電製品は、移送時のゆれ及び落下等の異常時に製品の外郭の傷、割れ等の製品品質の低下が発生しないように、一般的にダンボールで作られた包装容器内部にダンボールもしくは発泡スチロールで成形された緩衝パットで固定された状態で梱包されている。
【０００３】
従来のこの種の包装容器として、図６に示されるようなものがあった（例えば、特許文献１参照）。
【０００４】
図６は、上記特許文献１に記載された従来の家電製品の包装容器の封緘時の斜視図である。
【０００５】
図６に示すように、出荷状態の包装容器９９の封緘時は、包装容器本体１００の天面は、包装容器９９の外観部となる印刷表示を有する外フラップ１０１と、その外フラップ１０１の内側の内フラップ１０２を接着剤１０３で張り合わせることで、封緘の状態を維持している。
【０００６】
一般に、包装容器本体１００から家電製品（図示せず）を取り出す際は、上述のように接着剤１０３を用いて封緘されている際は、外フラップ１０１の一部を掴み、その掴んだ部分から外フラップ１０１を上方に引っ張り、外フラップ１０１と内フラップ１０２を接合している接着剤１０３を剥がすことで、また、接着テープ（図示せず）を用いて封緘されている場合は、接着テープを引き剥がすことで、包装容器本体１００の天面を開封し、開いた開口部から家電製品を取り出すようにしていた。
【特許文献１】特開２００２−３０８３７２号公報
【発明の開示】
【発明が解決しようとする課題】
【０００７】
しかしながら、上記のような包装容器を開封する場合、特に、外フラップ１０１と内フラップ１０２を接着剤１０３で封緘の状態を維持している場合は、外フラップ１０１同士の先端突合せ部の隙間が小さいため、外フラップ１０１が掴みにくいという問題があった。そのため、外フラップ１０１を掴む際に、爪を傷めたり、掴んだ外フラップ１０１の場所が外フラップ１０１と内フラップ１０２の接着部近傍の場合は、外フラップ１０１を内フラップ１０２から剥がすことができずに、外フラップ１０１の掴んだ部位を起点に、外フラップ１０１が破損したり、折れ曲がってしまう等の課題があった。そして、一旦、外フラップ１０１が破損したり、折れ曲がったりしてしまうと、この包装容器を用いた家電製品の再梱包が困難となり、リサイクル性の低下を引き起こしていた。
【０００８】
本発明は、上記従来の課題を解決するもので、外フラップを破損させることなく開封できると共に、容易に再封緘することができる包装容器を提供することを目的とする。
【課題を解決するための手段】
【０００９】
前記従来の課題を解決するために、本発明の包装容器は、直方体で、天面の４辺の内、対向する２辺に設けられると共に内側に折り込まれる一対の内フラップと、他の２辺に設けられると共に、封緘時に前記内フラップを覆う一対の外フラップとを備え、前記一対の外フラップの少なくとも一方の、下方に前記内フラップが重ね合わされていない部分の先端部に、切込み部と折り目部で形成され、指で下方に押し曲げられる押し曲げ部を形成したもので、包装容器の天面の開封時に、外フラップの少なくとも一方に形成した押し曲げ部を、指で、一旦下方に押し込んだ後、その外フラップと相対する他方の外フラップを掴み、上方に引っ張るという開封方法を取ることができるので、開封時に外フラップを引っ張る位置を規定することができ、外フラップを破損させることなく、包装容器の天面を容易に開封することができるようになる。
【発明の効果】
【００１０】
本発明の包装容器は、外フラップを破損すること無く容易に開封することができる。
【発明を実施するための最良の形態】
【００１１】
第１の発明は、直方体で、天面の４辺の内、対向する２辺に設けられると共に内側に折り込まれる一対の内フラップと、他の２辺に設けられると共に、封緘時に前記内フラップを覆う一対の外フラップとを備え、前記一対の外フラップの少なくとも一方の、下方に前記内フラップが重ね合わされていない部分の先端部に、切込み部と折り目部で形成され、指で下方に押し曲げられる押し曲げ部を形成したもので、包装容器の天面の開封時に、外フラップの少なくとも一方に形成した押し曲げ部を、指で、一旦下方に押し込んだ後、その外フラップと相対する他方の外フラップを掴み、上方に引っ張るという開封方法を取ることができるので、開封時に外フラップを引っ張る位置を規定することができ、外フラップを破損させることなく、包装容器の天面を容易に開封することができるようになる。
【００１２】
第２の発明は、特に、第１の発明の押し曲げ部の幅を、少なくとも指が３本以上挿入し得る幅としたもので、押し曲げ部を有する外フラップと相対する他方の外フラップを掴み、上方に引っ張る際に、指と外フラップとの接触面積を多くすることができることから外フラップにかかる引っ張り荷重が外フラップの一部に局所的にかかるのを未然に防止し、分散することができるので、外フラップの掴んだ位置から、外フラップが破損したり折れ曲がったりするのを防ぐことができる。
【００１３】
第３の発明は、特に、第１又は第２の発明の包装容器の封緘時に内フラップと外フラップとを接着剤で接着すると共に、前記接着剤の塗布位置と押し曲げ部との間を前記押し曲げ部の幅の１／２以上離すようにしたもので、押し曲げ部を有する外フラップと相対する他方の外フラップを掴み、上方に引っ張る際に、接着剤の塗布位置と掴んだ外フラップの位置との間の距離を確保しているので、外フラップと内フラップの接着剤からの剥離性を向上させることができる。
【００１４】
第４の発明は、特に、第１〜３のいずれか一つの発明の押し曲げ部を有する外フラップの前記押し曲げ部の近傍に、下方に押すことがわかる内容の印刷表示を、他方の外フラップの前記押し曲げ部近傍に、上方に引くことがわかる内容の印刷表示を、それぞれ行なうもので、印刷表示にしたがって、外フラップを破損することなく容易に包装容器の天面を開封することができる。
【００１５】
第５の発明は、特に、第４の発明の包装容器の側面部と押し曲げ部を有する外フラップとの連動部位である稜が、外フラップに印刷表示された文字の上側に位置するようにしたもので、印刷表示の上下方向を統一することができ、包装容器の印刷表示が分かりやすい為、包装容器の天面を開封するための一連の動作を印刷表示に従って容易に実現することができる。
【００１６】
以下、本発明の実施の形態について図面を参照しながら説明する。なお、この実施の形態によって本発明が限定されるものではない。
【００１７】
（実施の形態１）
図１は、本発明の実施の形態１における包装容器の封緘時の斜視図、図２は、同包装容器の開封時の斜視図、図３は、同包装容器の天面の開封時の動作を示した説明図、図４は、同包装容器の押し曲げ部を有する外フラップと相対する外フラップを掴み、上方に引っ張った後の状態を示した平面図、図５は、同包装容器の部分平面図である。
【００１８】
図１〜５において、本実施の形態における包装容器の包装容器本体１は、直方体で、その天面の４辺の内、対向する２辺には、内側に折り込まれる一対の内フラップ３が、他の２辺には、封緘時に前記内フラップを覆うと共に包装容器本体１の外観部となる印刷表示を有する一対の外フラップ２がそれぞれ設けられ、その外フラップ２と内側の内フラップ３とを接着剤４で張り合わせることで、封緘の状態を維持するようにしている。
【００１９】
７は、外フラップ２の、下方に内フラップ３が無い部分の先端部に設けた一対の切込み部、８は、両切込み部７の根元間に形成された折り目部で、前記一対の切込み部７と折り目部８とで、下方に指で押し下げることができる押し曲げ部１５が形成される。
【００２０】
さらに、内フラップ３の略両端部には切込み部５を設け、外フラップ２にはその切込み部５と相対する位置に差込み部６を設けている。これにより、包装容器の開封後に外フラップ２の差込み部６を内フラップ３の切込み部５に挿入すると、包装容器の天面を再びしっかり閉じることができ、包装容器の再封緘を実現している。
【００２１】
また、外フラップ２の、内フラップ３と重なっていない位置に、切込み部７と折り目部８からなる押し曲げ部１５を設けることで、図３に示すように、押し曲げ部１５が指で押された際に内フラップ３が障壁とならずに、折り目部８を起点に下方に容易に押し込めることができる。
【００２２】
本実施の形態における包装容器の天面の開封時の動作を、図３を用いで説明する。
【００２３】
図３（ａ）は、本実施の形態における包装容器の封緘時の状態を示している。図３（ｂ）に示すように、包装容器本体１の天面を開封する際、まず初めに外フラップ２の先端部に設けた押し曲げ部１５を指で押し込む。指を押し込むことにより、折り目部８に沿って、押し曲げ部１５が下方に折れ曲がり、押し曲げ部１５を有する外フラップ２と相対する他方の外フラップ２との間に隙間Ｌが発生する。この隙間Ｌは少なくとも指が押し込める寸法が必要であり、経験的に１０〜２０ｍｍの隙間が好ましい。
【００２４】
次に図３（ｃ）に示すように、この発生した隙間Ｌに指を押し込み、押し曲げ部１５を有する外フラップ２と相対する他方の外フラップ２（図２中、左側の外フラップ２）を掴み、上方に引っ張り、外フラップ２と内フラップ３を接着剤４から剥離し、外フラップ２の片側（左側）を開封する。片側の外フラップ２を開封することができると、相対するもう一方の外フラップ２の開封は、外フラップ２の下方に容易に手を挿入できるので、外フラップ２を破損することなく、容易に外フラップ２を開封することができる。
【００２５】
このような方法で包装容器本体１の天面を開封すると、外フラップ２を掴む位置を外フラップ２の差込み部６と離れた位置に規定することができ、外フラップ２の差込み部６を掴んで開封する可能性は無く、再梱包手段となる外フラップ２の差込み部６を破損することなく開封を実現することができる。
【００２６】
なお、下方に指で押し込める押し曲げ部１５の幅Ｘは、少なくとも指が３本以上挿入し得る幅であることが好ましく、押し曲げ部１５を有する外フラップ２と相対する他方の外フラップ２を掴み、上方に引っ張る際に、指と外フラップ２の接触面積を多くすることができることから外フラップ２にかかる引っ張り荷重が外フラップ２の一部に局所的にかかることを未然に防止し、分散させることができるので、掴んだ外フラップ２の位置から外フラップ２が破損したり、折れ曲がったりする等の問題を防ぐことができる。
【００２７】
また、外フラップ２と内フラップ３を接着する接着剤４からの剥離に要する引っ張り力は、接着剤４の塗布位置と掴んだ外フラップ２の位置との間の距離と比例しており、本実施の形態では、少なくとも接着剤４の塗布起点と外フラップ２の端部との間（Ｚ）及び、接着剤４の塗布起点と外フラップ２の掴む位置との間（Ｙ）を、図４に示すように、経験的に、押し曲げ部１５の幅Ｘの１／２以上にして（図中：Ｚ＞Ｘ／２、Ｙ＞Ｘ／２）、接着剤４と押し曲げ部１５とを、押し曲げ部１５の幅Ｘの１／２以上離すようにしている。
【００２８】
このようにすると、押し曲げ部１５を有する外フラップ２に相対する他方の外フラップ２を掴み、上方に引っ張る際に、接着剤４を剥がす為に過度な引っ張り荷重が外フラップ２に加わることがなく、老若男女誰でも、外フラップ２と内フラップ３を接着剤４から容易に剥離することができる。同時に過度な引っ張り荷重が外フラップ２にかかることが要因となる開封時の外フラップ２の破損及び折れ曲がり等の外観的不具合を回避することができる。
【００２９】
また、本実施の形態における包装容器は、外フラップ２の差込み部６と、内フラップ３の切込み部５とで再封緘する機能を備えているので、移送時に包装容器本体１の天面を再びしっかり閉じることができ、再封緘後の移送時に天面開口部から家電製品が傷つくことを防止することができ、また、外フラップ２及び内フラップ３が浮くこともなく、移送時の持ち運び性も向上させることができる。また、包装容器本体１を押入れ等に収納する際も同様に、包装容器本体１の天面を再びしっかり閉じることができることから、収納場所を可能な限り小さくできると共に包装容器本体１上方にもその他の収納物を置いても家電製品を傷つけることなく収納できるという利点がある。
【００３０】
更に、図５に示すように、外フラップ２の押し曲げ部１５の近傍に、下方に押すことがわかる内容の印刷表示９が有り、もう一方の外フラップ２の押し曲げ部１５近傍に、上方に引くことがわかる内容の印刷表示１０が有ると、各印刷表示にしたがって、外フラップ２を破損することなく、容易に包装容器本体１の天面を開封することができる。
【００３１】
同時に外フラップ２に、商品名などの印刷表示１１がある場合、押し曲げ部１５を有する外フラップ２の包装容器の側面部との連動部位である稜１２が、印刷表示される文字の上下方向の上側に有すると、一連の包装容器本体１の天面を開封する動作を印刷表示に従って容易に行なうことができる。
【００３２】
包装容器本体１の天面を開封する際は、印刷表示が読み取れるように包装容器を置くことが一般的であり、図５に示すような構成にすることにより、押し曲げ部１５を押し込んで、押し曲げ部１５を有する外フラップ２と相対する他方の外フラップ２を上方に引くという一連の包装容器本体１の天面を開封する動作を、包装容器本体１の向きを変えることなく実現することができる。
【００３３】
また、本実施の形態における包装容器の再封緘時には、外フラップ２に切欠き部が無いので、切欠き部からのゴミや埃、あるいはゴキブリ等の虫等の侵入を心配する必要がなく、再封緘後の家電製品の保管も衛生的にすることができる。
【産業上の利用可能性】
【００３４】
本発明に係わる包装容器は、外フラップを破損することなく、包装容器本体の天面を容易に開封することができるもので、家庭用、業務用の各種家電製品の包装容器として有用である。
【図面の簡単な説明】
【００３５】
【図１】本発明の実施の形態１における包装容器の封緘時の斜視図
【図２】同包装容器の開封時の斜視図
【図３】（ａ）〜（ｃ）同包装容器の天面の開封時の動作を示した説明図
【図４】同包装容器の押し曲げ部を有する外フラップと相対する他方の外フラップを掴み、上方に引っ張った後の状態を示した平面図
【図５】同包装容器の部分平面図
【図６】従来の包装容器の封緘時の斜視図
【符号の説明】
【００３６】
２  外フラップ
３  内フラップ
４  接着剤
５  切込み部（内フラップ）
６  差込み部
７  切込み部（外フラップ）
８  折り目部
９、１０、１１  印刷表示
１２  稜
１５  押し曲げ部
【図１】
2008105690.tif 000003
【図２】
2008105690.tif 000004
【図３】
2008105690.tif 000005
【図４】
2008105690.tif 000006
【図５】
2008105690.tif 000007
【図６】
2008105690.tif 000008